(57)【特許請求の範囲】
【請求項１】
着脱自在に組み合わされるロアーケース及びアッパーケースと、ロアーケースの内部に収納される配線基板と、ロアーケースの底部に形成されるコネクタ収納フードと、コネクタ収納フードに収納され、横型のコネクタハウジングとＬ形状に形成されて水平端子部がコネクタハウジング内に突設されると共に垂直端子部が配線基板の接続孔に挿入されて配線基板と半田付けされる複数本の端子の垂直端子部に該端子部の上端が突出するようにして固定される端子固定片とから構成される基板用コネクタと、該基板用コネクタをロアーケースの底部に固定するコネクタ固定手段とを備える電気接続箱において、
前記コネクタ固定手段は、基板用コネクタの端子の垂直端子部に挟着されるプラグ挟着手段とコネクタ収納フードに凹凸係合されるプラグ凹凸係合手段とを有するコネクタ固定プラグからなり、
前記コネクタ固定プラグのプラグ挟着手段は、基板用コネクタのコネクタハウジング上に配置されるプラグ本体の両側部に横向きに突出するように設けられて先端に基板用コネクタの端子の垂直端子部と係止する係止爪を有する一対の弾性挟着舌片と、プラグ本体の前部に設けられて基板用コネクタの端子固定片に突き当たる係止リブ又はプラグ本体の下部に設けられて基板用コネクタのコネクタハウジングに係止する係止段部とからなり、弾性挟着舌片と係止リブ又は係止段部とにより基板用コネクタの端子の垂直端子部又はコネクタハウジングを挟着してコネクタ固定プラグを基板用コネクタに装着するようにし、
前記コネクタ固定プラグのプラグ凹凸係合手段は、プラグ本体の少なくとも両側部に外側方へ突出して上方に延出するように設けられてコネクタ収納フードの内側壁に設けられる係合縦凹溝に係合する弾性係合舌片を備え、この弾性係合舌片により基板用コネクタをコネクタ収納フード内で位置決め固定するようにしたことを特徴とする電気接続箱。
【請求項２】
前記コネクタ固定プラグのプラグ凹凸係合手段は、プラグ本体の少なくとも両側部に外側方へ突出して上方に延出するように設けられてコネクタ収納フードの内側壁に設けられる係合縦凹溝に係合し、上端に係合縦凹溝の上部内縁と係止するロック爪を有する弾性係合舌片と、プラグ本体の弾性係合舌片の背後に設けられて弾性係合舌片をその弾性に抗してプラグ本体側へ撓ませ、コネクタ収納フードの係合縦凹溝からの係合を解除するための弾性係合舌片逃げ溝とからなることを特徴とする請求項１記載の電気接続箱。
【発明の詳細な説明】
【０００１】
【発明の属する技術分野】
本発明は、電気機器や自動車の電気配線の接続に用いられる電気接続箱に関するものである。
【０００２】
【従来の技術】
電気機器や自動車の電気配線の接続に用いられる電気接続箱は、そのケース内部に電気回路や電子部品等が搭載されたフレキシブルプリント基板（ＦＰＣ）やプリント基板（ＰＣＢ）といった所謂、配線基板と、配線基板及び外部のワイヤーハーネスを電気的に接続するための基板用コネクタが収納されている。
【０００３】
従来のこの種の電気接続箱としては、例えば、図７に示すような構造のものが開発されている。即ち、この電気接続箱は、上方へ開口するロアーケース１と下方へ開口するアッパーケース２とを有する。そして、ロアーケース１とアッパーケース２は図示しない係合凹部と係合片との係合により着脱自在に組み合わされる。ロアーケース１の内部には、ロアーケース１の底部１Ａの内周縁に取り付けられた複数の基板支持片３で支持される、電気回路や電子部品４等が搭載された配線基板５が収納される。ロアーケース１の底部１Ａには、これより下方へ突出すると共に配線基板５の面と平行な方向に開口するようにしてコネクタ収納フード６が形成され、このコネクタ収納フード６に基板用コネクタ７が収納される。
【０００４】
基板用コネクタ７は、図８（イ）（ロ）に示すように、コネクタハウジング８、複数本の端子（導電性ターミナル）９及び端子固定片１０からなる。コネクタハウジング８は、横長の矩形状ブロック体８Ａと配線基板５の面と平行な方向に開口する横長の矩形状筒部８Ｂとからなり、これら矩形状ブロック体８Ａと矩形状筒部８Ｂを一体にプラスチック成形することにより形成される。矩形状筒部８Ｂ内には、図７に示すように、配線基板５に電力等を供給するためのワイヤーハーネス１１が接続された外部コネクタである雌コネクタ１２が嵌合する。
【０００５】
複数本の端子９は、それぞれ銅、アルミ、これらの合金材料等の導電材料で出来た平型細線材をＬ形状に折り曲げて形成され、内外２列に、且つ、幅方向に所定のピッチで配列される。そして、これら端子９の各水平端子部９Ａがコネクタハウジング８の矩形状筒部８Ｂ内に突設されて前記雌コネクタ１２に接続され、各垂直端子部９Ｂの上端が配線基板５の接続孔（スルーホール）（図示せず）に挿入されて配線基板５の導体部と半田付けされる。
【０００６】
端子固定片１０はプラスチック製の矩形状片からなり、その下側から複数本の端子９の垂直端子部９Ｂを貫通させてその上端を端子固定片１０から上方へ所定長さ突出するようにして前記垂直端子部９Ｂの上端近くに固定される。この端子固定片１０は、端子９の垂直端子部９Ｂの配列位置を配線基板５の接続孔の配列位置に正確に合致させて、垂直端子部９Ｂの接続孔への挿入動作を確実、且つ、円滑に行えるようにすると共に、端子固定片１０の上面が配線基板５の下面に当接（密着）して、前記垂直端子部９Ｂが配線基板５から上方へ突き出る高さを規定する機能を有する。
【０００７】
このような構成の電気接続箱において、基板用コネクタ７はコネクタ収納フード６に収納された後、コネクタ固定手段である止めねじ１３により、そのコネクタハウジング８の矩形状ブロック体８Ａがロアーケース１の底部に形成されるコネクタ収納フード６の底面に固定される。これにより、前記雌コネクタ１２が基板用コネクタ７に斜め方向から挿入嵌合したり、基板用コネクタ７から斜め方向へ抜去離脱したりして、基板用コネクタ７がこじられても、こじり応力が配線基板５に直接及ぶようなことがなくなる。また、前記端子９の垂直端子部９Ｂの半田付け部分が割れて配線基板５と接続不良を起こしたり、配線基板５が撓んで電気回路が損傷したりするのが回避される。なお、１４はこの電気接続箱を自動車等の車両のボデー等に取り付け固定するために、アッパーケース２の前後部に突設されるケース取り付け片である。
【０００８】
【発明が解決しようとする課題】
しかしながら、このような構成の電気接続箱では、基板用コネクタ７をロアーケース１の底部に固定するコネクタ固定手段が、通常、所望位置に精度よくねじ穴を形成することが容易でない止めねじ１３で構成されるので、ロアーケース１の底部に基板用コネクタ７を正確に位置決めして固定することが容易でない。また、止めねじ１３をドライバ等の締め付け工具で締め付けて固定するので、ねじ締め付け工数が増える。このため、基板用コネクタ１２をコネクタ収納フード６に迅速、且つ、精度よく固定することが出来ないという問題があった。また、止めねじ１３を締め付け過ぎると、基板用コネクタ７に形成されたねじ穴が潰れてばか穴になり、基板用コネクタ７をロアーケース１にしっかり固定し難くなるので、ねじ締め付けトルク管理が必要となる。このため、基板用コネクタ６の固定作業が煩雑になり、作業能率が低下するという問題もあった。
【０００９】
本発明は上記に鑑みて成されたもので、ロアーケースの底部に基板用コネクタをワンタッチで簡易迅速に、且つ、精度よく位置決めして堅固に固定することができ、固定作業能率を向上させることができる電気接続箱を提供することを目的とする。
【００１０】
上記目的を達成するため、本発明の請求項１に記載された電気接続箱は、着脱自在に組み合わされるロアーケース及びアッパーケースと、ロアーケースの内部に収納される配線基板と、ロアーケースの底部に形成されるコネクタ収納フードと、コネクタ収納フードに収納され、横型のコネクタハウジングとＬ形状に形成されて水平端子部がコネクタハウジング内に突設されると共に垂直端子部が配線基板の接続孔に挿入されて配線基板と半田付けされる複数本の端子の垂直端子部に該端子部の上端が突出するようにして固定される端子固定片とから構成される基板用コネクタと、該基板用コネクタをロアーケースの底部に固定するコネクタ固定手段とを備える電気接続箱において、前記コネクタ固定手段は、基板用コネクタの端子の垂直端子部に挟着されるプラグ挟着手段とコネクタ収納フードに凹凸係合されるプラグ凹凸係合手段とを有するコネクタ固定プラグからなり、前記コネクタ固定プラグのプラグ挟着手段は、基板用コネクタのコネクタハウジング上に配置されるプラグ本体の両側部に横向きに突出するように設けられて先端に基板用コネクタの端子の垂直端子部と係止する係止爪を有する一対の弾性挟着舌片と、プラグ本体の前部に設けられて基板用コネクタの端子固定片に突き当たる係止リブ又はプラグ本体の下部に設けられて基板用コネクタのコネクタハウジングに係止する係止段部とからなり、弾性挟着舌片と係止リブ又は係止段部とにより基板用コネクタの端子の垂直端子部又はコネクタハウジングを挟着してコネクタ固定プラグを基板用コネクタに装着するようにし、前記コネクタ固定プラグのプラグ凹凸係合手段は、プラグ本体の少なくとも両側部に外側方へ突出して上方に延出するように設けられてコネクタ収納フードの内側壁に設けられる係合縦凹溝に係合する弾性係合舌片を備え、この弾性係合舌片により基板用コネクタをコネクタ収納フード内で位置決め固定するようにしたことを特徴とする電気接続箱である。
【００１１】
このような構成によると、コネクタ収納フードに収納された基板用コネクタをコネクタ収納フードに固定する場合には、プラグ挟着手段とプラグ凹凸係合手段とを有する挟着・凹凸係合型のコネクタ固定プラグを用いて行うので、所望の位置にねじ穴を形成することが容易でない止めねじとねじ締め付け治具を用いる必要がなくなる。従って、コネクタ収納フード、即ち、ロアーケースの底部に基板用コネクタをワンタッチで簡易迅速に、且つ、精度よく位置決めして堅固に固定することができる。また、ねじ締め付けトルク管理の必要がないので、固定作業が煩雑でなくなり、固定作業能率を向上させることができる。
【００１２】
更に、前記コネクタ固定プラグのプラグ挟着手段が、基板用コネクタのコネクタハウジング上に配置されるプラグ本体の両側部に横向きに突出するように設けられて先端に基板用コネクタの端子の垂直端子部と係止する係止爪を有する一対の弾性挟着舌片と、プラグ本体の前部に設けられて基板用コネクタの端子固定片に突き当たる係止リブ又はプラグ本体の下部に設けられて基板用コネクタのコネクタハウジングに係止する係止段部とからなり、弾性挟着舌片と係止リブ又は係止段部とにより基板用コネクタの端子の垂直端子部又はコネクタハウジングを挟着してコネクタ固定プラグを基板用コネクタに装着するようにしたものである。
【００１３】
このような構成のプラグ挟着手段を有するコネクタ固定プラグを用いると、基板用コネクタにコネクタ固定プラグを着脱自在に、更に迅速、確実に固定することができるので好ましい。
【００１４】
更に、前記コネクタ固定プラグのプラグ凹凸係合手段が、プラグ本体の少なくとも両側部に外側方へ突出して上方に延出するように設けられてコネクタ収納フードの内側壁に設けられる係合縦凹溝に係合する弾性係合舌片を備え、この弾性係合舌片により基板用コネクタをコネクタ収納フード内で位置決め固定するようにしたものである。
【００１５】
このような構成のプラグ凹凸係合手段を有するコネクタ固定プラグを用いると、基板用コネクタをコネクタ収納フード、即ち、ロアーケースの底部により精度よく位置決め固定することができるほか、コネクタ収納フードに対する基板用コネクタの挿脱着が容易となって電気接続箱のメンテナンス性を向上させることができるので好ましい。
【００１６】
更に、本発明の請求項２に記載された電気接続箱は、請求項１記載の電気接続箱において、前記コネクタ固定プラグのプラグ凹凸係合手段が、プラグ本体の少なくとも両側部に外側方へ突出して上方に延出するように設けられてコネクタ収納フードの内側壁に設けられる係合縦凹溝に係合し、上端に係合縦凹溝の上部内縁と係止するロック爪を有する弾性係合舌片と、プラグ本体の弾性係合舌片の背後に設けられて弾性係合舌片をその弾性に抗してプラグ本体側へ撓ませ、コネクタ収納フードの係合縦凹溝からの係合を解除するための弾性係合舌片逃げ溝とからなるものである。
【００１７】
このような構成によると、コネクタ収納フードに収納された基板用コネクタの移動が拘束されて、ロアーケースの底部に基板用コネクタをしっかり固定することができ、基板用コネクタが電気接続箱の使用中等にがたついて異常音を生じる恐れがないほか、基板用コネクタの挿脱着が更に容易になって、電気接続箱のメンテナンス性をより向上させることができるので好ましい。
【００１８】
【発明の実施の形態】
次に本発明の実施形態を図面に基づき詳細に説明する。図１は本発明の一実施形態を示す電気接続箱の構成分解斜視図、図２は図１の電気接続箱の外観を示す斜視図、図３は図１の電気接続箱において、ロアーケース２０とその底部２０Ａに形成されるコネクタ収納フード３８に収納される基板用コネクタ４０を示す斜視図、図４は図１の電気接続箱において、ロアーケース２０の底部２０Ａに形成されるコネクタ収納フード３８に基板用コネクタ４０が収納された状態を拡大して示す断面図である。
【００１９】
本実施形態の電気接続箱は、図１乃至４に示すように、上方へ開口するロアーケース２０と下方へ開口するアッパーケース２２とを有する。そして、ロアーケース２０の両側縁部には係合凹溝２４とフック受片２６が設けられ、アッパーケース２２の両側縁部には係合凹溝２４とフック受片２６に対応する位置に係合片２８とフック３０が設けられ、これら係合片２８と係合凹溝２４及びフック３０とフック受片２６との係合により、ロアーケース２０とアッパーケース２２が着脱自在に組み合わされる。
【００２０】
ロアーケース２０の内部には、ロアーケース２０の底部２０Ａの内周縁に取り付けられた複数の基板支持片３２で支持される、電気回路や電子部品３４等が搭載された配線基板３６が収納される。ロアーケース２０の底部２０Ａには、これより下方へ突出すると共に配線基板３６の面と平行な方向に開口するようにしてコネクタ収納フード３８（図４参照）が形成される。このコネクタ収納フード３８には、基板用コネクタ４０が収納される。
【００２１】
基板用コネクタ４０は、図４及び図５に詳細に示すように、コネクタハウジング４２、複数本の端子（導電性ターミナル）４４及び端子固定片４６からなる。
【００２２】
コネクタハウジング４２は、横長の矩形状ブロック体４２Ａと配線基板３６の面と平行な方向に開口する横長の矩形状筒部４２Ｂとからなり、これら矩形状ブロック体４２Ａと矩形状筒部４２Ｂを一体にプラスチック成形することにより横型に形成される。矩形状筒部４２Ｂ内には、配線基板３６に電力等を供給するためのワイヤーハーネスが接続された外部コネクタ（雌コネクタ）（図示せず）が嵌合する。
【００２３】
複数本の端子４４は、それぞれ銅、アルミ、これらの合金材料等の導電材料で出来た平型細線材をＬ形状に折り曲げて形成され、内外２列に、且つ、幅方向に所定のピッチで配列される。図示するものでは、内側列に６本、外側列に４本の合計１０本の端子４４が配列されている。そして、これら端子４４の各水平端子部４４Ａがコネクタハウジング４２の矩形状筒部４２Ｂ内に突設されて前記外部コネクタに接続され、各垂直端子部４４Ｂの上端が配線基板３６の接続孔（スルーホール）（図示せず）に挿入されて配線基板３６の導体部と半田付けされる。
【００２４】
端子固定片４６はプラスチック製の矩形状片からなり、その下側から１０本の端子４４の垂直端子部４４Ｂを貫通させてその上端を端子固定片４６から上方へ所定長さ突出するようにして前記垂直端子部４４Ｂの上端近くに固定される。この端子固定片４６は、端子４４の垂直端子部４４Ｂの配列位置を配線基板３６の接続孔の配列位置に正確に合致させて、垂直端子部４４Ｂの接続孔への挿入動作を確実、且つ、円滑に行えるようにすると共に、端子固定片４６の上面が配線基板３６の下面に当接（密着）して、前記垂直端子部４４Ｂが配線基板３６から上方へ突き出る高さを規定する機能を有する。
【００２５】
なお、ロアーケース２０のコネクタ収納フード３８に収納された基板用コネクタ４０において、ロアーケース２０の底面から上方へ突き出た端子４４の垂直端子部４４Ｂの上端を、ロアーケース２０の内部に上方から収納される配線基板３６の接続孔に、該基板３６や接続孔を損傷することなく円滑に挿入することができるように、図１に示すロアーケース２０の底部２０Ａに形成されるコネクタ収納フード３８において、その内側壁近傍におけるコネクタ収納フード３８を挟む両側対向位置に、２本の位置決めピン４８が立設される。また、配線基板３６の位置決めピン４８に対応する位置に位置決めピン４８を挿入して通すピン挿入孔（図示せず）が設けられる。
【００２６】
この場合、前記底部２０Ａに立設される位置決めピン４８の高さ位置が、コネクタ収納フード３８に収納された基板用コネクタ４０における端子４４の垂直端子部４４Ｂの配線基板３６から上方に突き出た上端の高さ位置よりも高くなるように、位置決めピン４８の長さが設定される。そうすると、前記垂直端子部４４Ｂの上端が配線基板３６の接続孔に挿入される前に、位置決めピン４８が配線基板３６のピン挿入孔に挿入されて配線基板３６の位置を矯正することができるので好ましい。
【００２７】
また、５０、５２、５４は配線基板３６に搭載されたワイヤーハーネス雄コネクタ、５６、５８はワイヤーハーネス６０が接続されたワイヤーハーネス雌コネクタで、それぞれワイヤーハーネス雄コネクタ５０、５２に嵌合して接続される。６２Ａ、６２Ｂはワイヤーハーネス６０を電気接続箱外へ取り出すためにロアーケース２０及びアッパーケース２２の後部に設けられたガイドダクト６２の半割ダクト部材で、これら半割ダクト部材６２Ａ、６２Ｂを組み合わせて係合することにより、ガイドダクト５２が形成される。６４はこの電気接続箱を自動車等の車両のボデー等に取り付け固定するために、ロアーケース２０及びアッパーケース２２の前部及びガイドダクト６２の後部にそれぞれ突設されるケース取り付け片である。
【００２８】
更に、本発明の電気接続箱は、基板用コネクタ４０をロアーケース２０の底部１Ａに固定するコネクタ固定手段として、従来の止めねじ１３の代わりに、基板用コネクタ４０の端子４４の垂直端子部４４Ｂに挟着されるプラグ挟着手段６８とコネクタ収納フード３８に凹凸係合されるプラグ凹凸係合手段７０とを有するコネクタ固定プラグ６６を用いている。
【００２９】
このようなコネクタ固定プラグ６６により、コネクタ収納フード３８に収納される基板用コネクタ４０を、コネクタ収納フード３８、即ち、ロアーケース２０の底部２０Ａに固定するので、外部コネクタが基板用コネクタ４０に斜め方向から挿入嵌合したり、基板用コネクタ４０から斜め方向へ抜去離脱したりして、基板用コネクタ４０がこじられても、こじり応力が配線基板３６側に直接及ぶようなことがなくなる。従って、基板用コネクタ４０の端子４４を構成する垂直端子部４４Ｂの半田付け部分が割れて配線基板３６と接続不良を起こしたり、配線基板３６が撓んで電気回路が損傷したりするようなことがなくなる。
【００３０】
また、プラグ挟着手段６８とプラグ凹凸係合手段７０とを有する挟着・凹凸係合型のコネクタ固定プラグ６６を用いて基板用コネクタ４０を固定するので、コネクタ収納フード３８に基板用コネクタ４０をワンタッチで簡易迅速に、且つ、精度よく位置決めして堅固に固定することができる。更に、従来のようなねじ締め付けトルクを管理する必要がないので、基板用コネクタ４０の固定作業が簡単になり、固定作業能率を向上させることができる。
【００３１】
コネクタ固定プラグ６６のプラグ挟着手段６８は、図４、図５及び図６に示すように、基板用コネクタ４０のコネクタハウジング４２上に配置されるプラグ本体７２の両側部に横向きに突出するように設けられて先端に基板用コネクタ４０の端子４４の垂直端子部４４Ｂと係止する係止爪７６を有する一対の弾性挟着舌片７４と、プラグ本体７２の前部に設けられて基板用コネクタ４０の端子固定片４６に突き当たる係止リブ７８又はプラグ本体７２の下部に設けられて基板用コネクタ４０のコネクタハウジング４２に係止する係止段部８０（図４参照）とからなる。
【００３２】
図示のものでは、前記弾性挟着舌片７４の係止爪７６が、図６に示すように、基板用コネクタ４０の内側に６本配列された端子４４の垂直端子部４４Ｂにあって幅方向の左右両側端に配列された２本の垂直端子部４４０Ｂに係止されている。また、前記係止段部８０がコネクタハウジング４２の矩形状ブロック体４２Ａに係止されている（図４参照）。このような弾性挟着舌片７４と係止リブ７８又は係止段部８０とにより基板用コネクタ４０の端子４４の垂直端子部４４Ｂ又はコネクタハウジング４２を挟着してコネクタ固定プラグ６６を基板用コネクタ４０に装着するようにしたプラグ挟着手段６８を用いると、基板用コネクタ４０にコネクタ固定プラグ６６を着脱自在に、更に迅速、確実に固定することができるので好ましい。
【００３３】
更に、コネクタ固定プラグ６６のプラグ凹凸係合手段７０は、図３、図４及び図５に示すように、プラグ本体７２の少なくとも両側部に外側方へ突出して上方に延出するように設けられてコネクタ収納フード３８の内側壁に設けられる係合縦凹溝８２に係合する弾性係合舌片８４を備え、弾性係合舌片８４により基板用コネクタ４０をコネクタ収納フード３８内で位置決め固定するようになっている。
【００３４】
このようなプラグ本体７２の少なくとも両側部にコネクタ収納フード３８の内側壁に設けられる係合縦凹溝８２に係合する弾性係合舌片８４を設けたプラグ凹凸係合手段７０を用いると、基板用コネクタ４０をコネクタ収納フード３８、即ち、ロアーケース２０の底部２０Ａにより精度よく位置決め固定することができるほか、コネクタ収納フード３８に対する基板用コネクタ４０の挿脱着が容易となって電気接続箱のメンテナンス性を向上させることができるので好ましい。
【００３５】
また、図示のものでは、弾性係合舌片８４の上端に、基板用コネクタ４０が下方に押し込まれてコネクタ収納フード３８に収納されると同時に係合縦凹溝８２の上部内縁８２Ａと係止し、基板用コネクタ４０を移動しないように固定するロック爪８６を有する。更に、プラグ本体７２の弾性係合舌片８４の背後には、弾性係合舌片８４をその弾性に抗してプラグ本体７２側へ撓ませ、コネクタ収納フード３８の係合縦凹溝８２からの係合の解除を容易にする弾性係合舌片逃げ溝８８が設けられる。なお、図示のものでは、前記弾性係合舌片８４がプラグ本体７２の後側部側にも設けられ、プラグ本体７２を三方から囲むようになっている。更に、前記後側部に設けられた弾性係合舌片８４に対応して同様に係合縦凹溝８２、上部内縁８２Ａ，ロック爪８６及び弾性係合舌片逃げ溝８８が設けられる。
【００３６】
このように、プラグ凹凸係合手段７０として、更に、弾性係合舌片８４の上端にロック爪８６を有し、また、プラグ本体７２に弾性係合舌片逃げ溝８８が設けられたものを用いると、コネクタ収納フード３８に収納された基板用コネクタ４０の移動が拘束されて、ロアーケースの底部に基板用コネクタをしっかり固定することができ、基板用コネクタが電気接続箱の使用中等にがたついて異常音を生じる恐れがないほか、更に、基板用コネクタの挿脱着が更に容易になって、電気接続箱のメンテナンス性をより向上させることができるので好ましい。
【００３７】
【発明の効果】
以上説明したように、本発明の請求項１記載の電気接続箱によると、基板用コネクタをロアーケースの底部に固定するコネクタ固定手段が、基板用コネクタの端子の垂直端子部に挟着されるプラグ挟着手段とコネクタ収納フードに凹凸係合されるプラグ凹凸係合手段とを有するコネクタ固定プラグからなるので、所望の位置にねじ穴を形成することの難しい止めねじとねじ締め付け治具を用いる必要がなくなり、コネクタ収納フードに基板用コネクタをワンタッチで簡易迅速に、且つ、精度よく位置決めして堅固に固定することができる。また、ねじ締め付けトルク管理の必要がないので、固定作業が煩雑でなくなり、固定作業能率を向上させることができる。
【００３８】
更に、請求項１記載の電気接続箱におけるコネクタ固定プラグのプラグ挟着手段が、プラグ本体に設けられる弾性挟着舌片と係止リブ又は係止段部とにより基板用コネクタの端子の垂直端子部又はコネクタハウジングを挟着してコネクタ固定プラグを基板用コネクタに装着するようにしたもので構成されるので、基板用コネクタにコネクタ固定プラグを着脱自在に、更に迅速、確実に固定することができる。
【００３９】
更に、請求項１記載の電気接続箱におけるコネクタ固定プラグのプラグ凹凸係合手段が、プラグ本体の少なくとも両側部に外側方へ突出するように設けられてコネクタ収納フードの内側壁に設けられる係合縦凹溝に係合する弾性係合舌片を備え、この弾性係合舌片により基板用コネクタをコネクタ収納フード内で位置決め固定するように構成されるので、基板用コネクタをコネクタ収納フード、即ち、ロアーケースの底部により精度よく位置決め固定することができるほか、コネクタ収納フードに対する基板用コネクタの挿脱着が容易となって電気接続箱のメンテナンス性を向上させることができる。
【００４０】
更に、本発明の請求項２に記載された電気接続箱によると、請求項１記載の電気接続箱におけるコネクタ固定プラグのプラグ凹凸係合手段が、更に、弾性係合舌片の上端に係合縦凹溝の上部内縁と係止するロック爪を有し、且つ、プラグ本体の弾性係合舌片の背後に弾性係合舌片を係合縦凹溝からの係合を解除するための弾性係合舌片逃げ溝が設けられるので、コネクタ収納フードに収納された基板用コネクタの移動が拘束されて、ロアーケースの底部に基板用コネクタをしっかり固定することができ、基板用コネクタが電気接続箱の使用中などに、がたついて異常音を生じる恐れがないほか、更に、基板用コネクタの挿脱着が更に容易になって、電気接続箱のメンテナンス性をより向上させることができる。
【図面の簡単な説明】
【図１】本発明の一実施形態を示す電気接続箱の構成分解斜視図である。
【図２】図１の電気接続箱の外観を示す斜視図である。
【図３】図１の電気接続箱において、ロアーケースとその底部に収納される基板用コネクタを示す斜視図である。
【図４】図１の電気接続箱において、ロアーケースの底部に形成されるコネクタ収納フードに基板用コネクタが収納された状態を拡大して示す断面図である。
【図５】図１の電気接続箱において、基板用コネクタにコネクタ固定プラグを装着した状態を示す拡大斜視図である。
【図６】図５に示すコネクタ固定プラグのプラグ挟着手段により、基板用コネクタの端子の垂直端子部にコネクタ固定プラグのプラグ本体を挟着する状態を示す説明図である。
【図７】従来の電気接続箱の断面概要図である。
【図８】図７の電気接続箱における基板用コネクタを拡大して示すもので、（イ）は側面図、（ロ）は正面図である。
【符号の説明】
２０              ロアーケース
２２              アッパーケース
２４              係合凹溝
２６              フック受片
２８              係合片
３０              フック
３２              基板支持片
３４              電子部品
３６              配線基板
３８              コネクタ収納フード
４０              基板用コネクタ
４２              コネクタハウジング
４２Ａ            矩形状ブロック体
４２Ｂ            矩形状筒部
４４              端子
４４Ａ            水平端子部
４４Ｂ            垂直端子部
４４０Ｂ          垂直端子部
４６              端子固定片
４８              位置決めピン
５０、５２、５４  ワイヤーハーネス雄コネクタ
５６、５８        ワイヤーハーネス雌コネクタ
６０              ワイヤーハーネス
６２              ガイドダクト
６２Ａ、６２Ｂ    半割ダクト部材
６４              ケース取り付け片
６６              コネクタ固定プラグ
６８              プラグ挟着手段
７０              プラグ凹凸係合手段
７２              プラグ本体
７４              弾性挟着舌片
７６              係止爪
７８              係止リブ
８０              係止段部
８２              係合縦凹溝
８２Ａ            上部内縁
８４              弾性係合舌片
８６              ロック爪
８８              弾性係合舌片逃げ溝
【図１】
0004002087.tif 000002
【図２】
0004002087.tif 000003
【図３】
0004002087.tif 000004
【図４】
0004002087.tif 000005
【図５】
0004002087.tif 000006
【図６】
0004002087.tif 000007
【図７】
0004002087.tif 000008
【図８】
0004002087.tif 000009